(57)【要約】      （修正有）【課題】対応するパーツの配置の入れ替えや、各パーツの反転等が可能で、組立てが容易となる容器の組立てセット及びこれを用いた容器を提供する。【解決手段】組立状態で直方体形状となる容器の組立てセットとして、開閉自在の天板４と、対向する平板状の正面側板５及び背面側板６、並びに、対向する平板状の左方側板７及び右方側板８とを少なくとも有する。正面側板及び背面側板の各々は、左方側板及び右方側板の各々に設けられた被係合部としての凹部２８ａ、２８ｂ、２９ａ、２９ｂと係合する凸状で互いに同一形状の係合部としての凸部２１ａ、２４ａ、２１ｂ、２４ｂを有し、容器の組立状態における正面視及び背面視において、互いに同一形状であると共に上下方向及び左右方向の少なくとも一方に対称形である。正面側板及び背面側板が裏返しても左右側板と係合するリバーシブルとなり、組立てが容易となる。【選択図】図３
0003217570.tif 000002
【実用新案登録請求の範囲】
【請求項１】
直方体形状の容器を組み立てるために、開閉自在の天板と、対向する平板状の正面側板及び背面側板、並びに、対向する平板状の左方側板及び右方側板とを少なくとも有する容器の組立てセットであって、
前記正面側板及び前記背面側板の各々は、前記左方側板及び前記右方側板の各々に設けられた被係合部と係合する凹又は凸状で互いに同一形状の係合部を有し、前記容器の組立状態における正面視及び背面視において、互いに同一形状であると共に上下方向及び左右方向の少なくとも一方に対称形である、容器の組立てセット。
【請求項２】
前記左方側板及び前記右方側板の各々は、左方視及び右方視において互いに同一形状であり、
前記天板は、平面視及び底面視において上下方向又は左右方向に対称形である、請求項１記載の容器の組立てセット。
【請求項３】
前記天板、前記正面側板、前記背面側板、前記左方側板及び前記右方側板は、その外面及び内面が彫刻可能に構成され、
教材用として用いられる、請求項１又は請求項２記載の容器の組立てセット。
【請求項４】
前記正面側板及び前記背面側板の各々は、正面視及び背面視において上下方向及び左右方向に対称形である、請求項１から請求項３のいずれかに記載の容器の組立てセット。
【請求項５】
前記係合部及び前記被係合部は、ほぞ継ぎで構成される、請求項１から請求項４のいずれかに記載の容器の組立てセット。
【請求項６】
前記ほぞ継ぎの継手の一方の突出長さは、前記継手の他方が設けられた側板の厚さと等しく設定され、
前記継手の他方の凹み長さは、前記継手の一方が設けられた側板の厚さと等しく設定されている、請求項５記載の容器の組立てセット。
【請求項７】
前記左方側板及び前記右方側板の各々の背面方向端部には、上方に突出する取付部が設けられ、
前記取付部は厚さ方向に貫通するピン孔を有し、
前記天板の背面方向端部には、外方に付勢され突出すると共に、押圧によって前記天板内部に収納自在なピンが設けられ、
前記ピンが前記ピン孔に係合することで、前記天板が前記左方側板及び前記右方側板に対して回転自在に接続される、請求項１から請求項６のいずれかに記載の容器の組立てセット。
【請求項８】
直方体形状の容器を組み立てるために、開閉自在の天板と、対向する平板状の正面側板及び背面側板、並びに、対向する平板状の左方側板及び右方側板とを少なくとも有する容器の組立てセットであって、
前記正面側板及び前記背面側板の各々は、前記左方側板及び前記右方側板の各々に設けられた被係合部と係合する凹又は凸状で互いに同一形状の係合部を有し、前記容器の組立状態における正面視及び背面視において、互いに同一形状であると共に上下方向及び左右方向に対称形であり、
前記左方側板及び前記右方側板の各々は、左方視及び右方視において互いに同一形状であると共に上下方向及び左右方向に対称形であり、
前記天板は、平面視及び底面視において上下方向又は左右方向に対称形である、容器の組立てセット。
【請求項９】
前記左方側板及び前記右方側板の四隅には、厚さ方向に貫通するピン孔が設けられ、
前記天板の左方側面及び右方側面には、前記ピン孔に対応する位置において内方に凹状の凹部が設けられ、
前記ピン孔を挿通すると共に前記凹部に嵌まり込み、前記天板を前記左方側板及び前記右方側板に対して回転自在に接続するピンを更に備える、請求項８記載の容器の組立てセット。
【請求項１０】
請求項１から請求項９のいずれかに記載の容器の組立てセットを用いて組み立てられた、容器。
【考案の詳細な説明】
【技術分野】
【０００１】
この考案は容器の組立てセット及びこれを用いた容器に関し、特に天板が開閉自在な容器を組み立てるための容器の組立てセット及びこれを用いた容器に関するものである。
【背景技術】
【０００２】
従来から、直方体形状を構成し、天板が開閉自在な容器を組み立てるための容器の組立てセットが存在する。
【０００３】
このような従来の容器の組立てセットは、対向する平板状の天板及び底板、対向する平板状の正面側板及び背面側板（前後側板）、並びに、対向する平板状の左方側板及び右方側板（左右側板）から主に構成される。
【０００４】
組立てに際しては、まずこれらの各側板及び底板を、隣接する側板と釘打ちで留め付けたり、接着剤を用いて接着させたりすることで、上面が開放された容器状に構成する。その後、天板を背面側板の上端にヒンジ等を用いて留め付けることで、天板が背面側板の上端を中心にして回転自在に接続され、天板が開閉自在な容器が構成される。
【０００５】
このような容器は例えば教材用として用いられる。この場合、天板及び各側板の少なくとも１つは、一方面が彫刻可能な素材で構成される。これらの天板又は各側板に対して、使用者である児童が所望の絵柄の彫刻を行った後に組み立てて、容器を制作する。制作された容器にはオルゴール等を収納することもできる。
【考案の概要】
【考案が解決しようとする課題】
【０００６】
ここで、使用者が彫刻を失敗する場合がある。失敗した場合にその失敗箇所のみを修復することは難しく、失敗した彫刻対象の天板又は各側板等のパーツを新品に交換することとなり、コストが発生する場合が多かった。そのため、このような失敗時のコストを軽減するものが待望されていた。
【０００７】
又、教材用として用いられない場合であっても、このような従来の容器は組立て方法が難しく、容易に組み立てられる構造の追求といった点で改善の余地があった。
【０００８】
この考案は上記のような課題を解決するためになされたもので、対応するパーツの配置の入れ替えや、各パーツの反転等が可能で、組立てが容易となる容器の組立てセット及びこれを用いた容器を提供することを目的とする。
【課題を解決するための手段】
【０００９】
上記の目的を達成するために、請求項１記載の考案は、直方体形状の容器を組み立てるために、開閉自在の天板と、対向する平板状の正面側板及び背面側板、並びに、対向する平板状の左方側板及び右方側板とを少なくとも有する容器の組立てセットであって、正面側板及び背面側板の各々は、左方側板及び右方側板の各々に設けられた被係合部と係合する凹又は凸状で互いに同一形状の係合部を有し、容器の組立状態における正面視及び背面視において、互いに同一形状であると共に上下方向及び左右方向の少なくとも一方に対称形であるものである。
【００１０】
このように構成すると、正面側板及び背面側板の各々は、裏返しても同一形状となり、左方側板及び右方側板の各々と係合することができる。
【００１１】
請求項２記載の考案は、請求項１記載の考案の構成において、左方側板及び右方側板の各々は、左方視及び右方視において互いに同一形状であり、天板は、平面視及び底面視において上下方向又は左右方向に対称形であるものである。
【００１２】
このように構成すると、左方側板及び右方側板は、互いの配置を入れ替えることができる。又、天板はリバーシブルとなる。
【００１３】
請求項３記載の考案は、請求項１又は請求項２記載の考案の構成において、天板、正面側板、背面側板、左方側板及び右方側板は、その外面及び内面が彫刻可能に構成され、教材用として用いられるものである。
【００１４】
このように構成すると、天板、正面側板、背面側板、左方側板及び右方側板の各々を彫刻材として使用することができる。
【００１５】
請求項４記載の考案は、請求項１から請求項３のいずれかに記載の考案において、正面側板及び背面側板の各々は、正面視及び背面視において上下方向及び左右方向に対称形であるものである。
【００１６】
このように構成すると、正面側板及び背面側板は上下方向にも左右方向にもリバーシブルとなる。
【００１７】
請求項５記載の考案は、請求項１から請求項４のいずれかに記載の考案において、係合部及び被係合部は、ほぞ継ぎで構成されるものである。
【００１８】
このように構成すると、正面側板及び背面側板を、隣接する左右側板に継ぎ合わせることでこれらが係合する。
【００１９】
請求項６記載の考案は、請求項５記載の考案において、ほぞ継ぎの継手の一方の突出長さは、継手の他方が設けられた側板の厚さと等しく設定され、継手の他方の凹み長さは、継手の一方が設けられた側板の厚さと等しく設定されているものである。
【００２０】
このように構成すると、ほぞ継ぎの継手の一方の突出先端は、継手の他方が設けられた側板の外面に整列して面一となり、継手の他方が設けられた側板の先端面は、継手の一方が設けられた側板の外面に整列して面一となる。
【００２１】
請求項７記載の考案は、請求項１から請求項６のいずれかに記載の考案において、左方側板及び右方側板の各々の背面方向端部には、上方に突出する取付部が設けられ、取付部は厚さ方向に貫通するピン孔を有し、天板の背面方向端部には、外方に付勢され突出すると共に、押圧によって天板内部に収納自在なピンが設けられ、ピンがピン孔に係合することで、天板が左方側板及び右方側板に対して回転自在に接続されるものである。
【００２２】
このように構成すると、各側板を組み立てた後、天板を左方側板及び右方側板に対してピンを押圧しながら取り付けることができる。
【００２３】
請求項８記載の考案は、直方体形状の容器を組み立てるために、開閉自在の天板と、対向する平板状の正面側板及び背面側板、並びに、対向する平板状の左方側板及び右方側板とを少なくとも有する容器の組立てセットであって、正面側板及び背面側板の各々は、左方側板及び右方側板の各々に設けられた被係合部と係合する凹又は凸状で互いに同一形状の係合部を有し、容器の組立状態における正面視及び背面視において、互いに同一形状であると共に上下方向及び左右方向に対称形であり、左方側板及び右方側板の各々は、左方視及び右方視において互いに同一形状であると共に上下方向及び左右方向に対称形であり、天板は、平面視及び底面視において上下方向又は左右方向に対称形であるものである。
【００２４】
このように構成すると、天板及び各側板がリバーシブルとなる。
【００２５】
請求項９記載の考案は、請求項８記載の考案において、左方側板及び右方側板の四隅には、厚さ方向に貫通するピン孔が設けられ、天板の左方側面及び右方側面には、ピン孔に対応する位置において内方に凹状の凹部が設けられ、ピン孔を挿通すると共に凹部に嵌まり込み、天板を左方側板及び右方側板に対して回転自在に接続するピンを更に備えるものである。
【００２６】
このように構成すると、天板が裏返った状態であっても左右側板に接続することができる。
【００２７】
請求項１０記載の考案は、請求項１から請求項９のいずれかに記載の容器の組立てセットを用いて組み立てられた容器である。
【００２８】
このように構成すると、分解すると正面側板及び背面側板の各々は、裏返しても同一形状となり、左方側板及び右方側板の各々と係合することができる。
【考案の効果】
【００２９】
以上説明したように、請求項１記載の考案は、正面側板及び背面側板の各々は、裏返しても同一形状となり、左方側板及び右方側板の各々と係合することができるため、リバーシブルとなり、組立てが容易となる。
【００３０】
請求項２記載の考案は、請求項１記載の考案の効果に加えて、左方側板及び右方側板は、互いの配置を入れ替えることができる。又、天板はリバーシブルとなる。そのため、組立てがより容易となる。
【００３１】
請求項３記載の考案は、請求項１又は請求項２記載の考案の効果に加えて、天板、正面側板、背面側板、左方側板及び右方側板の各々を彫刻材として使用することができるため、彫刻等を失敗した場合でも裏返すことで再利用することができる。
【００３２】
請求項４記載の考案は、請求項１から請求項３のいずれかに記載の考案の効果に加えて、正面側板及び背面側板は上下方向にも左右方向にもリバーシブルとなるため、組立てがより容易となる。
【００３３】
請求項５記載の考案は、請求項１から請求項４のいずれかに記載の考案の効果に加えて、正面側板及び背面側板を、隣接する左右側板に継ぎ合わせることでこれらが係合するため、組立状態が安定する。
【００３４】
請求項６記載の考案は、請求項５記載の考案の効果に加えて、ほぞ継ぎの継手の一方の突出先端は、継手の他方が設けられた側板の外面に整列して面一となり、継手の他方が設けられた側板の先端面は、継手の一方が設けられた側板の外面に整列して面一となる。そのため、組立状態の容器の外観の美観が向上する。
【００３５】
請求項７記載の考案は、請求項１から請求項６のいずれかに記載の考案の効果に加えて、各側板を組み立てた後、天板を左方側板及び右方側板に対してピンを押圧しながら取り付けることができるため、組立てがより容易となる。
【００３６】
請求項８記載の考案は、天板及び各側板がリバーシブルとなるため、組立てがより容易となる。
【００３７】
請求項９記載の考案は、請求項８記載の考案の効果に加えて、天板が裏返った状態であっても左右側板に接続することができるため、組立てがより容易となる。
【００３８】
請求項１０記載の考案は、分解すると正面側板及び背面側板の各々は、裏返しても同一形状となり、左方側板及び右方側板の各々と係合することができるため、リバーシブルとなる。
【図面の簡単な説明】
【００３９】
【図１】この考案の第１の実施の形態による容器の組立てセットを用いて組み立てた容器の閉状態の外観形状を示す斜視図である。
【図２】図１で示した容器の開状態の外観形状を示す斜視図である。
【図３】図１で示した容器の各パーツの外観を示す分解斜視図である。
【図４】図３で示した正面側板の正面視の形状を示す正面図である。
【図５】図１で示した容器の内部への内装の取付方法を示す斜視図である。
【図６】図１で示した容器の天板への内装の取付方法を示す斜視図である。
【図７】図１で示した容器の天板の取付方法を示す斜視図である。
【図８】この考案の第２の実施の形態による容器の組立てセットを用いて組み立てた容器の閉状態の外観を示す斜視図であって、図１に対応するものである。
【図９】図８で示した容器の開状態の外観を示す斜視図であって、図２に対応するものである。
【図１０】図８で示した容器の各パーツの外観を示す分解斜視図であって、図３に対応するものである。
【考案を実施するための形態】
【００４０】
図１はこの考案の第１の実施の形態による容器の組立てセットを用いて組み立てた容器の閉状態の外観形状を示す斜視図であり、図２は図１で示した容器の開状態の外観形状を示す斜視図である。
【００４１】
これらの図を参照して、図１に示す閉状態を基準として直方体形状である組立状態の容器１は、天板４と、対向する平板状の正面側板５及び背面側板６と、対向する平板状の左方側板７及び右方側板８と、底板９とから主に構成されている。
【００４２】
又、天板４の後縁１１はその左右端部の各々が、左方側板７の後方（背面方向）端部１２から上方に突出するように設けられた取付部１３、及び、右方側板８の後方（背面方向）端部１４から上方に突出するように設けられた取付部１５を介して、左方側板７及び右方側板８に対して回転自在に接続されている（詳細は後述）。これによって、天板４は、背面側板６の上縁１６を中心として回動して開閉自在に構成されており、天板４が開状態となることで容器１は図２に示す開状態となり、天板４が閉状態となることで容器１は図１に示す閉状態となる。
【００４３】
尚、本書において、正面、背面、前後左右、外方、内方等の方向は、図１に示す天板（容器）の閉状態を基準として説明する。
【００４４】
図３は図１で示した容器の各パーツの外観を示す分解斜視図であり、図４は図３で示した正面側板の正面視の形状を示す正面図であり、図５は図１で示した容器の内部への内装の取付方法を示す斜視図であり、図６は図１で示した容器の天板への内装の取付方法を示す斜視図であり、図７は図１で示した容器の天板の取付方法を示す斜視図である。
【００４５】
まず図３及び図４を参照して、教材用の容器１の組立てセットとして、天板４、正面側板５、背面側板６、左方側板７、右方側板８及び底板９が準備されており、これらはいずれも厚さが一定の木材からなり、その外面及び内面は彫刻可能に構成され、使用者である児童等が例えば組立て前に所望の絵柄を彫刻したり描画したりすることができる。
【００４６】
正面側板５は、図４に示すような正面視（図３で示した矢印１７の方向から見た状態）において、長方形形状の本体１９の左縁２０の一部（中央部）が左方に延出するようにして係合部（ほぞ継ぎの継手の一方）としての凸部２１ａが形成されている。又、本体１９の右側にも同様に、凸部２１ａとは左右反転形状の凸部２１ｂが形成されている。これによって、正面側板５は、凸部２１ａ、２１ｂを含めた全体形状が、図４の二点鎖線で示した左右方向に延びる基準線２３を中心に上下方向に対称形であると共に、上下方向に延びる基準線２２を中心に左右方向に対称形である。又、正面視のみならず背面視にあっても同様である。
【００４７】
又、正面側板５及び背面側板６の各々は、正面視及び背面視において互いに同一形状である。そのため、図３に示すように、正面側板５の左側の凸部２１ａに対応する位置に背面側板６の左側の凸部２４ａが設けられ、正面側板５の右側の凸部２１ｂに対応する位置に背面側板６の右側の凸部２４ｂが設けられている。
【００４８】
又、左方側板７は、その前縁２７の一部が後方に凹むようにして被係合部（ほぞ継ぎの継手の他方）としての凹部２８ａが形成されている。凹部２８ａの凹み形状は、正面側板５の凸部２１ａの突出形状と対応している。
【００４９】
したがって、容器１を組み立てるための工程としては、まず底板９上で各側板の位置を合わせた後、凹部２８ａと凸部２１ａとが係合されることで、正面側板５と左方側板７とが直交状態で接続される。
【００５０】
次に、同様に、左方側板７の後方側にも凹部２８ａと同一高さにおいて凹部２８ｂが形成されており、凹部２８ｂと凸部２４ａとが係合されることで、左方側板７と背面側板６とが直交状態で接続される。
【００５１】
又、右方側板８は、左方側板７と左方視及び右方視において互いに同一形状に構成されている。そのため、左方側板７と同様に、右方側板８の前方側には凹部２９ａが設けられ、後方側には凹部２９ｂが設けられている。そして、凹部２９ａと凸部２１ｂとが係合することで、右方側板８と正面側板５とが直交状態で接続され、凹部２９ｂと凸部２４ｂとが係合することで、右方側板８と背面側板６とが直交状態で接続される。
【００５２】
このようにして、各側板が組み合わされ、図５に示すように、まず上方に開放された容器状に組み立てられる。このとき、上述したように正面側板５及び背面側板６が、正面視において互いに同一形状であると共に、上下方向及び左右方向に対称形であることから、正面側板５及び背面側板６の各々は、裏返しても同一形状となり、左方側板７及び右方側板８の各々と係合することができるため、リバーシブルとなり、組立てが容易となる。
【００５３】
更に、このようにリバーシブルとすることで、彫刻等を失敗した場合でも裏返すことで再利用することができ、失敗時のコストを軽減することができる。
【００５４】
又、凸部２１ａ、２１ｂ、２４ａ、２４ｂと凹部２８ａ、２８ｂ、２９ａ、２９ｂとがほぞ継ぎで構成されるため、前後側板５、６を隣接する左右側板７、８に継ぎ合わせることでこれらが係合するため、組立てが簡便かつ組立状態が強固となり安定する。
【００５５】
そして、図３に示すように、凸部２１ａの突出長さＨは、凹部２８ａが設けられた左方側板７の厚さＷ１と等しく設定され、凹部２８ａの凹み長さＤは、凸部２１ａが設けられた正面側板５の厚さＷ２と等しく設定されている。そのため、図５に示すように、凸部２１ａの突出先端３７は、凹部２８ａが設けられた左方側板７の外面に整列して面一となり、凹部２８ａが設けられた左方側板７の先端面３８は、凸部２１ａが設けられた正面側板５の外面に整列して面一となる。そのため、組立状態の容器の外観の美観が向上する。又、他の凸部及び凹部についても同様である。
【００５６】
尚、図５に示すように、容器１内部に、内装としての飾り紙４１を取り付けることができる。これによって、容器１内部の美観が向上するだけでなく、各側板の彫刻が失敗して裏返して再利用した場合であっても、彫刻失敗面をカバーすることができる。
【００５７】
次に、特に図３、図５、図６及び図７を参照して、天板４は、上方に開放された容器１の開放面を覆う大きさであって、容器１の組立状態における平面視及び底面視（即ち、図６における矢印４３で示すように、天板４の最大面積面を見る方向）において上下方向又は左右方向に対称形であるものである。そのため、天板４もリバーシブルとなっており、図６に示すように、内装としての写真入れ４２を天板４の内面に取り付けることで、美観向上及び彫刻失敗面のカバーを図ることができる。
【００５８】
又、上述したように、左方側板７及び右方側板８の各々は、左方視及び右方視において互いに同一形状であることから、左方側板７及び右方側板８は互いの配置を入れ替えることができる。そのため、組立てがより容易となる。又、彫刻等を失敗した場合であっても、左方側板７及び右方側板８は配置を入れ替えることで再利用することができ、天板４は裏返すことで再利用することができる。
【００５９】
そして、特に図３及び図７を参照して、左方側板７の後方（背面方向）端部１２に設けられた取付部１３は、厚さ方向に貫通するピン孔３１を有している。又、同様に、右方側板８の後方（背面方向）端部に設けられた取付部１５にもピン孔３２が形成されている。又、天板４の背面方向端部３３には、外方（ピン３４ａの場合は左方であり、ピン３４ｂの場合は右方である。）に付勢され突出すると共に、押圧によって天板４内部に収納自在なピン３４ａ、３４ｂが設けられている。ピン３４ａ、３４ｂの露出部分は、先端が半球状に丸まった円筒形状である。そして、図７の矢印４４に示すように、まずピン３４ｂを取付部１５に押し付けて天板４内部に収納させる。そして、ピン３４ｂをピン孔３２の位置に合わせることで、付勢力によりピン３４ｂが突出状態に戻ってピン孔３２に入り込み係合する。これによって、天板４が右方側板８に対して回転自在に接続される。次に、図３に示すピン３４ａにあっても同様にすることで、天板４が左方側板７及び右方側板８に対して回転自在に接続される。このように、組立てがより容易となるものである。
【００６０】
このようにして、図１及び図２に示した容器１が組み立てられる。このような容器１の組立てセットは、容器１を容易に組み立てられるようにしたものであると共に、彫刻面を係合部を含めて対称形とすることで、彫刻が失敗した場合に裏返して再利用しても組立てが可能となるようにしたものである。組立状態の容器１は、内部にオルゴール等の所望のものを収納して使用することができる。
【００６１】
次に、図８はこの考案の第２の実施の形態による容器の組立てセットを用いて組み立てた容器の閉状態の外観を示す斜視図であって、図１に対応するものであり、図９は図８で示した容器の開状態の外観を示す斜視図であって、図２に対応するものであり、図１０は図８で示した容器の各パーツの外観を示す分解斜視図であって、図３に対応するものである。
【００６２】
尚、この考案の第２の実施の形態による容器の基本的な構造は、第１の実施の形態のものと同様であるため、相違点を中心に以下説明する。
【００６３】
これらの図を参照して、容器５１にあっては、正面側板５５及び背面側板５６の各々は、図８に示す容器５１の組立状態における正面視及び背面視において、互いに同一形状であると共に上下方向及び左右方向に対称形であり、左方側板５７及び右方側板５８の各々は、左方視及び右方視において互いに同一形状であると共に上下方向及び左右方向に対称形であり、天板５４は、平面視及び底面視において上下方向又は左右方向に対称形であるものである。
【００６４】
このように構成すると、天板及び各側板がリバーシブルとなるため、組立てがより容易となる。
【００６５】
又、特に図１０に示すように、左方側板５７の四隅には、厚さ方向に貫通するピン孔５９ａ〜５９ｄが設けられ、天板５４の左方側面６１及び右方側面６２には、内方に凹状の凹部６３ａ〜６３ｄが設けられている。このとき、ピン孔５９ａに対応する位置に凹部６３ａが設けられており、ピン６４ａがピン孔５９ａを挿通すると共に凹部６３ａに嵌まり込む。又、右方側板５８においても、同様に四隅にピン孔６０ａ〜６０ｄが設けられ、ピン６４ｂがピン孔６０ａを挿通すると共に、天板５４の右方側面６２に設けられた凹部６３ｃに嵌まり込む。このようにして、天板５４が左方側板５７及び右方側板５８に対して回転自在に接続される。
【００６６】
尚、左方側板５７及び天板５４の各々がリバーシブルであるため、左方側板５７のピン孔５９ａ〜５９ｄのいずれかのうち容器５１の組立状態において背面方向且つ上方の位置にあるものが、天板５４の凹部６３ａ〜６３ｄのうち背面方向且つ左方の位置にあるものと対応することとなる。又、右方側板５８についても同様である。
【００６７】
尚、この考案の各実施の形態にあっては、特定のパーツから容器が構成されていたが、他のパーツ（例えば天板固定用の磁石等）を含んでいても良いし、あるいは底板や内装が無くとも良い。又、底板を含む場合であっても、底板を容器に組み入れる工程はいかなるタイミングでも良い。
【００６８】
又、この考案の各実施の形態にあっては、係合部が特定形状であったが、他の形状であっても良い。例えば、係合部が凹状の凹部であって、被係合部がこれと係合する凸部であっても良い。又、係合部が複数個の凸部であっても良い。
【００６９】
更に、この考案の各実施の形態にあっては、左方側板及び右方側板の各々は互いに同一形状であったが、同一形状でなくとも良い。
【００７０】
更に、この考案の各実施の形態にあっては、天板は上下方向及び左右方向に対称形であったが、上下方向及び左右方向の少なくとも一方に対称形であれば良い。又、対称形でなくとも本考案は同様に適用できる。
【００７１】
更に、この考案の各実施の形態にあっては、天板と底板とが異なる形状であったが、天板と底板とが互いに同一形状であっても良い。このように構成すると、配置の入れ替えが可能となり、組立てがより容易となる。具体的には、例えば上述した第２の実施の形態において底板を天板と同一形状にした場合、底板の左右側面の２つのピン孔の両方にピンを嵌め込むようにすれば良い。
【００７２】
更に、この考案の各実施の形態にあっては、正面側板及び背面側板の各々が上下方向及び左右方向に対称形であったが、上下方向及び左右方向の少なくとも一方に対称形であれば良い。但し、正面視及び背面視において、上下方向及び左右方向に対称形であることが好ましい。このように構成すると、正面側板及び背面側板は上下方向にも左右方向にもリバーシブルとなるため、組立てがより容易となる。
【００７３】
更に、この考案の各実施の形態にあっては、係合部及び被係合部がほぞ継ぎで構成されていたが、他の係合態様であっても良い。例えば、釘打ちやヒンジでの留め付けが挙げられる。
【００７４】
更に、この考案の各実施の形態にあっては、係合部及び被係合部がそれぞれ面一となるように構成されていたが、面一とならなくとも良い。例えば係合部が左右側板の外面よりも突出するように構成されていても良い。
【００７５】
更に、この考案の各実施の形態にあっては、天板が特定の構造で開閉自在に容器に接続されていたが、ヒンジを用いて背面側板に留め付ける等、他の方法で開閉自在に構成しても良い。
【００７６】
更に、この考案の各実施の形態にあっては、特定方向を正面としていたが、他の方向を正面としても良い。
【００７７】
更に、この考案の各実施の形態にあっては、各パーツが一定厚さで構成されていたが、組立てに影響しない箇所に厚さの変化部分があっても良い。例えば、天板を開けやすくするために、正面側板の上端縁に凹み部分を設けた態様等が挙げられる。
【００７８】
又、正面側板及び背面側板はそれぞれの厚さが異なるものであっても本考案を同様に適用することができる。左方側板及び右方側板の関係にあっても同様である。
【００７９】
更に、この考案の第２の実施の形態にあっては、天板に内方に凹状の凹部が形成されていたが、左方側面から右方側面にかけて貫通して構成しても良く、このような態様も実質的に凹部に含まれる。
【００８０】
更に、この考案の各実施の形態にあっては、組立前に彫刻を行って使用していたが、組立後に彫刻を行っても良い。又、彫刻を行わなくとも良い。この場合、天板及び各側板は、いずれも彫刻可能に構成されなくとも良い。
【００８１】
更に、この考案の各実施の形態にあっては、組立後にオルゴール等を容器内部に収納していたが、物を収納しなくとも良い。
【００８２】
更に、この考案の各実施の形態にあっては、教材用として用いられていたが、教材用以外の用途に用いても良い。
【００８３】
更に、この考案の各実施の形態にあっては、特定の内装を取り付けていたが、他の内装を取り付けても良いし、内装は一切取り付けなくとも良い。
【００８４】
更に、この考案の各実施の形態を用いて組み立てた容器は、分解すると正面側板及び背面側板の各々は、裏返しても同一形状となり、左方側板及び右方側板の各々と係合することができるため、リバーシブルとなる。
【符号の説明】
【００８５】
１、５１…容器
４、５４…天板
５、５５…正面側板
６、５６…背面側板
７、５７…左方側板
８、５８…右方側板
１２、１４…後方端部
１３、１５…取付部
２１、２４…凸部
２８、２９…凹部
３１、３２…ピン孔
３３…背面方向端部
３４…ピン
５９、６０…ピン孔
６１…左方側面
６２…右方側面
６３…凹部
６４…ピン
尚、各図中同一符号は同一又は相当部分を示す。
【図１】
0003217570.tif 000003
【図２】
0003217570.tif 000004
【図３】
0003217570.tif 000005
【図４】
0003217570.tif 000006
【図５】
0003217570.tif 000007
【図６】
0003217570.tif 000008
【図７】
0003217570.tif 000009
【図８】
0003217570.tif 000010
【図９】
0003217570.tif 000011
【図１０】
0003217570.tif 000012